(57)【要約】【課題】幼児等の操作によって光源が不用意に点灯してしまうことを抑制可能なプロジェクタ及びその制御方法を提供する。【解決手段】プロジェクタ１は、スタンバイ状態において、電源キー以外の操作キーが所定時間（本実施形態では１０秒）内に所定の回数（本実施形態では３回）だけ操作された場合に、電源キーに対する入力操作を一時的に無効にするようになっている。具体的には、記憶部２１には、電源キーに対する入力操作が有効か無効かを示すフラグ（電源オンフラグ）が記憶されており、制御部２０は、この電源オンフラグを「無効」に設定することにより、通常のオン操作（電源キーに対する入力操作）がなされても電源オンの状態に移行しない電源オン無効状態とする。この状態では、ユーザは、ヘルプキーと電源キーとを同時に操作（押下）する無効解除操作を行うことによって、プロジェクタ１を電源オンの状態に移行させることができる。【選択図】図１
2009063959.tif 000002
【特許請求の範囲】
【請求項１】
光源から射出された光を変調して投写するプロジェクタであって、
当該プロジェクタを電源オフの状態から電源オンの状態に移行させるための電源キーを含む複数の操作キーを有し、前記複数の操作キーに対する入力操作を受け付ける入力操作部と、
当該プロジェクタが電源オフの状態で、前記電源キーに対して入力操作がなされた場合に、当該プロジェクタを電源オンの状態に移行させて前記光源を点灯させる制御部と、
を備え、
前記制御部は、当該プロジェクタが電源オフの状態で、前記電源キー以外の前記操作キーに対して入力操作がなされた場合に、前記電源キーに対する入力操作を一時的に無効にすることを特徴とするプロジェクタ。
【請求項２】
請求項１に記載のプロジェクタであって、
前記制御部は、当該プロジェクタが電源オフの状態で、前記電源キー以外の前記操作キーに対して所定時間内に所定回数の入力操作がなされた場合に、前記電源キーに対する入力操作を一時的に無効にすることを特徴とするプロジェクタ。
【請求項３】
請求項１又は２に記載のプロジェクタであって、
前記電源キーに対する入力操作が無効の状態において、前記電源キーに対する入力操作が無効である旨を報知する報知部をさらに備えたことを特徴とするプロジェクタ。
【請求項４】
請求項１〜３のいずれか１項に記載のプロジェクタであって、
前記制御部は、前記電源キーに対する入力操作が無効の状態において、複数の前記操作キーが同時に入力操作された場合に、当該プロジェクタを電源オンの状態に移行させることを特徴とするプロジェクタ。
【請求項５】
請求項１〜３のいずれか１項に記載のプロジェクタであって、
前記制御部は、前記電源キーに対する入力操作が無効の状態において、複数の前記操作キーが同時に入力操作された場合に、前記電源キーに対する入力操作を無効から有効にすることを特徴とするプロジェクタ。
【請求項６】
光源から射出された光を変調して投写するプロジェクタの制御方法であって、
前記プロジェクタが電源オフの状態において、電源オンの状態に移行させるための電源キーを含む複数の操作キーに対する入力操作を受け付ける入力操作受付ステップと、
前記電源キーに対する入力操作が無効な電源オン無効状態であるか否かを判断する電源オン無効状態判断ステップと、
前記電源オン無効状態判断ステップにて前記電源オン無効状態でないと判断された場合に、前記入力操作受付ステップで受け付けた入力操作が、前記電源キーに対する入力操作であるか否かを判断し、前記電源キー以外の操作キーが入力操作された場合に、前記電源オン無効状態に移行させる電源オン無効ステップと、
前記電源オン無効状態判断ステップにて前記電源オン無効状態と判断された場合に、前記入力操作受付ステップにて複数の前記操作キーが同時に入力操作されたか否かを判断し、複数の前記操作キーが同時に入力操作された場合に前記電源オン無効状態を解除する電源オン無効状態解除ステップと、
前記電源オン無効状態において、前記電源キーに対する入力操作が無効である旨を報知する報知ステップと、
を備えたことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
超高圧水銀ランプ等の光源から射出された光を変調して、投写レンズからスクリーン等に投写するプロジェクタを家庭で使用する場合に、プロジェクタを幼児の手の届く位置に放置してしまうと、幼児が誤って電源を投入して光源を点灯させ、投写光を覗き見てしまう恐れがある。プロジェクタの投写光を直接覗き見てしまうと、激しい眩しさを感じ、一時的に視力が低下する症状が生じ得る。
特許文献１には、光源が不用意に点灯しないように、投写レンズを繰り出す操作を行うことによって電源スイッチをオンとするバッテリー駆動型の小型ビデオプロジェクタが提案されている。
【０００３】
【特許文献１】特開平６−１８６５２２号公報
【発明の開示】
【発明が解決しようとする課題】
【０００４】
しかしながら、特許文献１に記載のビデオプロジェクタは、バッグ等に収納した状態で電源スイッチが不用意にオンとなるのを防ぐには効果的であるが、投写レンズを繰り出す操作は、幼児にとっても簡単な操作であるため、幼児が投写光を覗き見てしまうことを防止するには有効ではない。
また、投写レンズの前面に開閉式のレンズカバーを備えたプロジェクタが存在するが、レンズカバーを閉め忘れたり、幼児がレンズカバーを開いてしまったりする恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源から射出された光を変調して投写するプロジェクタであって、当該プロジェクタを電源オフの状態から電源オンの状態に移行させるための電源キーを含む複数の操作キーを有し、前記複数の操作キーに対する入力操作を受け付ける入力操作部と、当該プロジェクタが電源オフの状態で、前記電源キーに対して入力操作がなされた場合に、当該プロジェクタを電源オンの状態に移行させて前記光源を点灯させる制御部と、を備え、前記制御部は、当該プロジェクタが電源オフの状態で、前記電源キー以外の前記操作キーに対して入力操作がなされた場合に、前記電源キーに対する入力操作を一時的に無効にすることを特徴とする。
【０００７】
このプロジェクタによれば、電源オフの状態で電源キー以外の操作キーが入力操作された場合に、電源キーに対する入力操作を無効にするため、入力操作部に備わる複数の操作キーを無作為に操作している途中に偶然電源キーを操作してしまった場合でも、プロジェクタが電源オンの状態に移行することがなくなる。このため、幼児等の操作によって光源が不用意に点灯してしまうことを抑制することが可能となる。
【０００８】
［適用例２］上記適用例に係るプロジェクタにおいて、前記制御部は、当該プロジェクタが電源オフの状態で、前記電源キー以外の前記操作キーに対して所定時間内に所定回数の入力操作がなされた場合に、前記電源キーに対する入力操作を一時的に無効にすることが望ましい。
【０００９】
このプロジェクタによれば、電源キー以外の操作キーに対して所定時間内に所定回数の入力操作がなされた場合に、電源キーに対する入力操作を無効にするため、正規のユーザが誤って電源キー以外の操作キーを操作してしまった場合にも電源キーが無効になってしまうことが抑制され、利便性が向上する。
【００１０】
［適用例３］上記適用例に係るプロジェクタにおいて、前記電源キーに対する入力操作が無効の状態において、前記電源キーに対する入力操作が無効である旨を報知する報知部をさらに備えることが望ましい。
【００１１】
このプロジェクタによれば、電源キーに対する入力操作が無効である旨を報知する報知部をさらに備えているため、ユーザが、電源キーが無効であることを知らずに電源キーを操作して戸惑ってしまう事態を回避することが可能となる。
【００１２】
［適用例４］上記適用例に係るプロジェクタにおいて、前記制御部は、前記電源キーに対する入力操作が無効の状態において、複数の前記操作キーが同時に入力操作された場合に、当該プロジェクタを電源オンの状態に移行させるようにしてもよい。
【００１３】
このプロジェクタによれば、制御部は、電源キーに対する入力操作が無効の状態において、複数の操作キーが同時に操作された場合に、電源オンの状態に移行させるため、幼児等の操作によって不用意に電源オンの状態に移行してしまうのを抑制することが可能となる。
【００１４】
［適用例５］上記適用例に係るプロジェクタにおいて、前記制御部は、前記電源キーに対する入力操作が無効の状態において、複数の前記操作キーが同時に入力操作された場合に、前記電源キーに対する入力操作を無効から有効にするようにしてもよい。
【００１５】
このプロジェクタによれば、制御部は、複数の操作キーが同時に操作された場合に、電源キーに対する入力操作を有効にするため、幼児等の操作によって不用意に有効になってしまうことを抑制することが可能となる。
【００１６】
［適用例６］本適用例に係るプロジェクタの制御方法は、光源から射出された光を変調して投写するプロジェクタの制御方法であって、前記プロジェクタが電源オフの状態において、電源オンの状態に移行させるための電源キーを含む複数の操作キーに対する入力操作を受け付ける入力操作受付ステップと、前記電源キーに対する入力操作が無効な電源オン無効状態であるか否かを判断する電源オン無効状態判断ステップと、前記電源オン無効状態判断ステップにて前記電源オン無効状態でないと判断された場合に、前記入力操作受付ステップで受け付けた入力操作が、前記電源キーに対する入力操作であるか否かを判断し、前記電源キー以外の操作キーが入力操作された場合に、前記電源オン無効状態に移行させる電源オン無効ステップと、前記電源オン無効状態判断ステップにて前記電源オン無効状態と判断された場合に、前記入力操作受付ステップにて複数の前記操作キーが同時に入力操作されたか否かを判断し、複数の前記操作キーが同時に入力操作された場合に前記電源オン無効状態を解除する電源オン無効状態解除ステップと、前記電源オン無効状態において、前記電源キーに対する入力操作が無効である旨を報知する報知ステップと、を備えたことを特徴とする。
【００１７】
このプロジェクタの制御方法によれば、電源オフの状態で電源キー以外の操作キーが入力操作された場合に、電源キーに対する入力操作を無効にするため、入力操作部に備わる複数の操作キーを無作為に操作している途中に偶然電源キーを操作してしまった場合でも、プロジェクタが電源オンの状態に移行することがなくなる。このため、幼児等の操作によって光源が不用意に点灯してしまうことを抑制することが可能となる。また、電源キーに対する入力操作が無効な電源オン無効状態において、複数の操作キーが同時に操作された場合に電源オン無効状態を解除するため、幼児等の操作によって不用意に解除されてしまうことを抑制することが可能となる。さらに、電源オン無効状態において、電源キーに対する入力操作が無効である旨を報知するため、ユーザが、電源キーが無効であることを知らずに電源キーを操作して戸惑ってしまう事態を回避することが可能となる。
【００１８】
また、上述したプロジェクタ及びその制御方法がプロジェクタに備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１９】
以下、入力される画像情報に基づく画像（入力画像）を投写して、スクリーンや壁面等にこの入力画像を表示するプロジェクタについて説明する。
【００２０】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、ＬＥＤ表示部３０等で構成されている。
【００２１】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００２５】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２６】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、各種設定を行うための設定メニューを表示させる「メニューキー」、設定メニューにおける項目の選択等に用いられる「カーソルキー」、設定メニューで選択された項目を決定するための「決定キー」、操作の取り消し等を行うための「取消キー」、入力ソース（画像情報の供給元）を切り替えるための「入力ソース切替キー」、操作方法等を説明するためのヘルプ画面を表示させる「ヘルプキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２７】
入力端子群２５は、ビデオ再生装置やパーソナルコンピュータ等、図示しない外部の画像出力装置から、各種形式の画像情報を入力可能な複数の入力端子２５ａを備えている。各入力端子２５ａに入力された画像情報は、入力ソース選択部２６に出力される。
【００２８】
入力ソース選択部２６は、複数の入力端子２５ａのうち、制御部２０の指示に基づく１つの入力端子２５ａを選択し、この入力端子２５ａに入力される画像情報を画像処理部２７に出力する。ユーザが、リモコン２３に備わる入力ソース切替キーを操作して所望の入力端子２５ａを指定すると、制御部２０は、この入力端子２５ａに入力されている画像情報が画像処理部２７に出力されるよう、入力ソース選択部２６に指示をする。
【００２９】
画像処理部２７は、入力ソース選択部２６から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、制御部２０の指示に基づいて、変換した画像情報に対して、明るさ、コントラスト、シャープネス、色合い等を調整するための画質調整処理や、入力画像上に設定メニュー等を重畳させるためのＯＳＤ（オンスクリーンディスプレイ）処理等を行う。画像処理部２７で画質調整等がなされた画像情報は、ライトバルブ駆動部１４に出力される。
【００３０】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３１】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３２】
光源制御部２９は、制御部２０の指示に基づいて、光源１１に対する電力の供給と停止とを制御し、光源１１の点灯及び消灯を切り替える。
【００３３】
ＬＥＤ表示部３０は、１つ或いは複数のＬＥＤ（発光ダイオード）からなるインジケータ（報知部）であり、制御部２０の指示に基づいてその表示状態を切り替えることにより、ユーザにプロジェクタ１の動作状態（電源オン状態やスタンバイ状態等）を報知する。なお、ＬＥＤ表示部３０は、その表示状態、即ち点灯、点滅、消灯、発光色等を適宜切り替えることによって、多数の動作状態を表すことが可能になっている。
【００３４】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３０に電力（スタンバイ電力）の供給を行い、制御部２０は、この電力供給を受けて、制御プログラムに従った動作を開始する。商用電源が供給された直後には、プロジェクタ１は、スタンバイ状態（電源オフの状態ともいう）であり、この状態では、制御部２０は、ＬＥＤ表示部３０を所定の色（本実施形態では、オレンジ色）で点灯させるとともに、操作パネル２２やリモコン２３の電源キーに対する入力操作（オン操作）を監視する。そして、このオン操作を検知すると、制御部２０は、電源回路２８に指示をして動作電力の供給を開始させてプロジェクタ１を電源オンの状態にするとともに、光源制御部２９に指示をして光源１１を点灯させる等の必要な初期動作を行う。この結果、画像出力装置から入力される画像情報に応じた画像（入力画像）が画像投写部１０から投写される。
【００３５】
また、本実施形態のプロジェクタ１は、スタンバイ状態において、電源キー以外の操作キーが所定時間Ｔ（本実施形態では１０秒）内に所定の回数Ｎ（本実施形態では３回）だけ操作された場合に、電源キーに対する入力操作を一時的に無効にするようになっている。具体的には、記憶部２１には、電源キーに対する入力操作が有効か無効かを示すフラグ（電源オンフラグ）が記憶されており、制御部２０は、この電源オンフラグを「無効」に設定することにより、通常のオン操作（電源キーに対する入力操作）がなされても電源オンの状態に移行しない電源オン無効状態とする。この状態では、ユーザは、ヘルプキーと電源キーとを同時に操作（押下）する無効解除操作を行うことによって、プロジェクタ１を電源オンの状態に移行させることができる。
【００３６】
図２は、スタンバイ状態でのプロジェクタ１の動作を説明するためのフローチャートである。スタンバイ状態において操作パネル２２或いはリモコン２３がいずれかの操作キーに対する入力操作を受け付けると、制御部２０は、図２に示すフローに従って動作する。
【００３７】
図２に示すように、ステップＳ１０１では、制御部２０は、電源オン無効状態であるか否か、即ち、記憶部２１に記憶されている電源オンフラグが「無効」に設定されているか否かを判断する。この結果、電源オンフラグが「無効」に設定されている場合にはステップＳ１１４に移行し、電源オンフラグが「有効」に設定されている場合にはステップＳ１０２に移行する。
【００３８】
電源オンフラグが「有効」に設定されていてステップＳ１０２に移行した場合には、制御部２０は、操作パネル２２或いはリモコン２３になされた入力操作が電源キーに対する操作（オン操作）であるか否かを判断する。この結果、オン操作がなされた場合には、ステップＳ１０３に移行し、電源キー以外の操作キーに対する入力操作がなされた場合にはステップＳ１０６に移行する。
【００３９】
ステップＳ１０３に移行した場合には、制御部２０は、電源回路２８に指示をして動作電力の供給を開始させて、プロジェクタ１を電源オンの状態に移行させ、続くステップＳ１０４では、制御部２０は、プロジェクタ１がオン状態にあることをユーザに報知するために、ＬＥＤ表示部３０の表示状態を緑色で点灯する状態に変更する。そして、ステップＳ１０５では、制御部２０は、光源制御部２９に指示をして光源１１を点灯させる等の必要な初期動作を行ってフローを終了する。この結果、画像出力装置から入力される画像情報に応じた画像（入力画像）が画像投写部１０から投写される。
【００４０】
また、ステップＳ１０２において電源キー以外の操作キーが操作されてステップＳ１０６に移行した場合には、制御部２０は、所定時間Ｔを計測するためにタイマ２０ａによる計時を行っている状態か否かを判断する。そして、計時を行っている状態であればステップＳ１０９に移行し、計時を行っていない状態であればステップＳ１０７に移行する。
【００４１】
タイマ２０ａによる計時を行っておらず、ステップＳ１０７に移行した場合には、制御部２０は、所定時間Ｔを計測するためにタイマ２０ａによる計時を開始する。このタイマ２０ａは、計時を開始してから所定時間Ｔが経過した場合に計時を停止するようになっている。また、記憶部２１は、電源キー以外の操作キーが操作された回数を記憶するためのカウンタ（図示せず）を備えており、ステップＳ１０８では、制御部２０はカウンタをクリアし、その値を０に設定する。
【００４２】
ステップＳ１０９では、制御部２０は、カウンタの値をインクリメント（＋１）して、続くステップＳ１１０では、カウンタの値が所定値（所定の回数Ｎ）に達したか否かを判断する。この結果、カウンタの値が所定値に達した場合にはステップＳ１１１に移行し、所定値に達していない場合には、この時点でフローを終了する。
【００４３】
ステップＳ１１１に移行した場合には、制御部２０は、タイマ２０ａによる計時を停止し、続くステップＳ１１２では、制御部２０は、電源オンフラグを「無効」に設定することにより、電源オン無効状態に移行させる。そして、ステップＳ１１３では、制御部２０は、プロジェクタ１が電源オン無効状態にあることをユーザに報知するために、ＬＥＤ表示部３０の表示状態をオレンジ色で点滅する状態に変更してフローを終了する。
【００４４】
一方、ステップＳ１０１において、電源オン無効状態であるためにステップＳ１１４に移行した場合には、制御部２０は、操作パネル２２或いはリモコン２３になされた入力操作が無効解除操作であるか否かを判断する。この結果、無効解除操作がなされた場合、即ち、ヘルプキーと電源キーとが同時に操作された場合にはステップＳ１１５に移行し、それ以外の入力操作がなされた場合には、いずれの処理も行わずにフローを終了する。
【００４５】
無効解除操作がなされてステップＳ１１５に移行した場合には、制御部２０は、電源オンフラグを「有効」に設定することにより、電源オン無効状態を解除する。その後、ステップＳ１０３に移行して、プロジェクタ１を電源オンの状態に移行させ、ステップＳ１０４において、ＬＥＤ表示部３０の表示状態を緑色で点灯する状態に変更する。そして、制御部２０は、ステップＳ１０５において、光源制御部２９に指示をして光源１１を点灯させる等の必要な初期動作を行ってフローを終了する。この結果、画像出力装置から入力される画像情報に応じた画像（入力画像）が画像投写部１０から投写される。
【００４６】
制御部２０は、スタンバイ状態において何らかのキー操作がなされる度に上記のフローに従って動作するので、電源キー以外の操作キーが所定時間Ｔ内に所定の回数Ｎだけ操作された場合には、プロジェクタ１は電源オン無効状態となり、電源キーによる通常のオン操作が無効となる。この電源オン無効状態は、無効解除操作のみを受け付ける状態であり、ユーザは、この無効解除操作を行うことによって、電源オン無効状態を解除してプロジェクタ１を電源オンの状態に移行させることができる。
【００４７】
以上説明したように、本実施形態のプロジェクタ１によれば、以下の効果を得ることができる。
（１）本実施形態のプロジェクタ１によれば、制御部２０が、スタンバイ状態で電源キー以外の操作キーが操作された場合に、電源キーに対するオン操作を無効にするため、操作パネル２２やリモコン２３に備わる複数の操作キーを無作為に操作している途中に偶然電源キーを操作してしまった場合でも、プロジェクタ１が電源オンの状態に移行することがなくなる。このため、幼児等の操作によって光源１１が不用意に点灯してしまうことを抑制することが可能となる。
【００４８】
（２）本実施形態のプロジェクタ１によれば、電源キー以外の操作キーに対して所定時間Ｔ内に所定の回数Ｎの入力操作がなされた場合に、電源キーに対するオン操作を無効にするため、正規のユーザが誤って電源キー以外の操作キーを操作してしまった場合にも電源キーが無効になってしまうことが抑制され、利便性が向上する。
【００４９】
（３）本実施形態のプロジェクタ１によれば、電源オン無効状態において、ＬＥＤ表示部３０が、電源キーに対するオン操作が無効である旨を報知するため、ユーザが、電源キーが無効であることを知らずに電源キーを操作して戸惑ってしまう事態を回避することが可能となる。
【００５０】
（４）本実施形態のプロジェクタ１によれば、制御部２０は、電源オン無効状態において、所定の組み合わせの複数のキー（ヘルプキーと電源キー）が同時に操作された場合に、電源オンの状態に移行させるため、幼児等の操作によって不用意に電源オンの状態に移行してしまうことを抑制することが可能となる。
【００５１】
（変形例）
また、前記実施形態は、以下のように変更してもよい。
前記実施形態では、電源オン無効状態において無効解除操作がなされた場合（ステップＳ１１４）に、電源オン無効状態を解除（ステップＳ１１５）するとともにプロジェクタ１を電源オンの状態に移行（ステップＳ１０３）させるようにしているが、図３に示すように、電源オン無効状態を解除（ステップＳ１１５）した後に、スタンバイ状態のままフローを終了するようにしてもよい。この場合、電源オン無効状態から電源オンの状態に移行させるためには、無効解除操作を行って、その後で電源キーによる通常のオン操作を行う必要がある。このような構成であっても、電源オン無効状態を解除するためには、複数の操作キーを同時に操作する必要があるため、幼児等の操作によって不用意に電源オン無効状態が解除されてしまう事態を抑制することが可能となる。
【００５２】
前記実施形態では、ＬＥＤ表示部３０は、電源オン無効状態に移行したタイミングでその表示状態を変更するようにしているが、電源オン無効状態にあることをユーザに報知するタイミングはこれに限られず、例えば、電源オン無効状態で電源キーに対するオン操作がなされたタイミングで表示状態を変更するようにしてもよい。
【００５３】
前記実施形態では、ＬＥＤ表示部３０によって、電源オン無効状態にあることをユーザに報知しているが、他の表示手段によってその旨を報知するようにしてもよいし、図示しない音声出力手段により、音声で報知するようにしてもよい。
【００５４】
前記実施形態では、電源オン無効状態において、ヘルプキーと電源キーが同時に操作された場合に、電源オン無効状態を解除するようにしているが、無効解除操作を行うための操作キーの組み合わせは前記に限定されない。
【００５５】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００５６】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【００５７】
なお、前記実施形態で説明したように、本明細書における「電源キーに対する入力操作を無効にする」とは、電源キーが単独で操作（オン操作）された場合に当該操作を無効にすることであり、電源キーが他の操作キー（前記実施形態ではヘルプキー）と同時に操作された場合には、当該操作を無効にするとは限らない。
【図面の簡単な説明】
【００５８】
【図１】実施形態に係るプロジェクタの概略構成を示すブロック図。
【図２】実施形態に係るプロジェクタのスタンバイ状態における動作を説明するためのフローチャート。
【図３】変形例に係るプロジェクタのスタンバイ状態における動作を説明するためのフローチャート。
【符号の説明】
【００５９】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…ＬＥＤ表示部、ＳＣ…スクリーン。
【図１】
2009063959.tif 000003
【図２】
2009063959.tif 000004
【図３】
2009063959.tif 000005